(57)【要約】【課題】小型・簡易化を実現できるとともに、使用時の重厚感、荘厳感の増大に大きく寄与でき、また、非使用時の室内景観におけるインテリア性の向上を図れる仏壇を提供する。【解決手段】仏壇１は、壁面２に固定された薄型の仏壇本体３と、この仏壇本体３を覆うカバー４Ａ、４Ｂと、床面５に載置された仏具ケース６を有している。カバー４Ａ、４Ｂはスライドレール１２により左右にスライド自在に支持されており、非使用時には閉じられる。カバー４Ａ、４Ｂは木質系材料で形成されており、閉じた場合仏壇本体３は外部から見えず、インテリア性のみが醸し出される。仏具ケース６においてもケースカバー９Ａ、９Ｂを閉じると同様となる。【選択図】        図２
2006075330.tif 000002
【特許請求の範囲】
【請求項１】
仏壇本体と、該仏壇本体を覆うカバーを備え、上記カバーは分割されているとともに上記仏壇本体に対して左右にスライド自在に支持されて開閉可能に設けられていることを特徴とする仏壇。
【請求項２】
請求項１記載の仏壇において、
上記カバーが閉じた状態で上記仏壇本体を外部から視認できないことを特徴とする仏壇。
【請求項３】
請求項１又は２記載の仏壇において、
上記仏壇本体が壁面に固定され、上記仏壇本体の下方の床面に載置される仏具ケースを備えていることを特徴とする仏壇。
【請求項４】
請求項３記載の仏壇において、
上記仏具ケースが、仏具ケース本体と、該仏具ケース本体を覆うケースカバーを備え、上記ケースカバーは分割されているとともに上記仏具ケース本体に対して左右にスライド自在に支持されて開閉可能に設けられていることを特徴とする仏壇。
【請求項５】
請求項４記載の仏壇において、
上記ケースカバーが閉じた状態で上記仏具ケース本体を外部から視認できないことを特徴とする仏壇。
【請求項６】
請求項１又は２記載の仏壇において、
上記仏壇本体を垂直方向に支持する移動可能なスタンドを有し、該スタンドには、上記仏壇本体の下方に位置し床面に載置される基台が一体に設けられ、上記基台上に載置される仏具ケースを備えていることを特徴とする仏壇。
【発明の詳細な説明】
【技術分野】
【０００１】
本発明は、一般家庭用として用いられる仏壇に関する。
【背景技術】
【０００２】
従来においては、一般家庭では仏間が設けられ、御本尊や位牌等を安置した据付タイプの仏壇が用いられている。
しかしながら、アパートやマンション等ではスペース的に特別に仏間を設けるゆとりが無い場合が多く、簡易型の仏壇を望む声は多い。
このような要望に応えるべく、移動が可能な小型の仏壇や壁掛けタイプなど、種々の仏壇が提案されている。
例えば、特開２００４−１１３７４２号公報には、持ち運びが可能な小型の仏壇が開示されており、特開２００２−２２３９３３号公報や特開２００２−０３４７７４号公報には、壁掛けタイプの仏壇が開示されている。
上記特開２００２−０３４７７４号公報に開示された仏壇は、両側をアコーディオン方式の伸縮部材で支持された扉板を有し、扉板の下方への回動動作に伴って内部の棚が水平に変位し、非使用時には扉板を上方に回動することにより薄型の箱体状となる構成を有している。
【０００３】
【特許文献１】特開２００４−１１３７４２号公報
【特許文献２】特開２００２−２２３９３３号公報
【特許文献３】特開２００２−０３４７７４号公報
【発明の開示】
【発明が解決しようとする課題】
【０００４】
居住スペースの観点から小型、簡易型の仏壇を望む一方で、使用時には仏壇としての重厚感、荘厳感を求める声も少なくない。重厚感、荘厳感は仏壇の形状的大きさによってある程度補い得るものであるが、小型、簡易型とは相反するものである。
特許文献２に開示された仏壇は、両開き方式の扉を有しているため、使用時に扉を開けばその分水平方向の寸法が大きくなるが、薄板の扉であるため、重厚感、荘厳感の増大にはあまり寄与していない。
また、室内における景観上の観点から、仏壇の常設的使用状態を好まず、使用時のみ仏壇としての機能が得られればよいという声もある。特に若い世代ではこの傾向が強い。
【０００５】
本発明は、小型・簡易化を実現できるとともに、使用時の重厚感、荘厳感の増大に大きく寄与でき、また、非使用時の室内景観におけるインテリア性の向上を図れる仏壇の提供を、その主な目的とする。
【課題を解決するための手段】
【０００６】
請求項１記載の発明は、仏壇本体と、該仏壇本体を覆うカバーを備え、上記カバーは分割されているとともに上記仏壇本体に対して左右にスライド自在に支持されて開閉可能に設けられていることを特徴とする仏壇である。
【０００７】
請求項２記載の発明は、請求項１記載の仏壇において、上記カバーが閉じた状態で上記仏壇本体を外部から視認できないことを特徴とする仏壇である。
【０００８】
請求項３記載の発明は、請求項１又は２記載の仏壇において、上記仏壇本体が壁面に固定され、上記仏壇本体の下方の床面に載置される仏具ケースを備えていることを特徴とする仏壇である。
【０００９】
請求項４記載の発明は、請求項３記載の仏壇において、上記仏具ケースが、仏具ケース本体と、該仏具ケース本体を覆うケースカバーを備え、上記ケースカバーは分割されているとともに上記仏具ケース本体に対して左右にスライド自在に支持されて開閉可能に設けられていることを特徴とする仏壇である。
【００１０】
請求項５記載の発明は、請求項４記載の仏壇において、上記ケースカバーが閉じた状態で上記仏具ケース本体を外部から視認できないことを特徴とする仏壇である。
【００１１】
請求項６記載の発明は、請求項１又は２記載の仏壇において、上記仏壇本体を垂直方向に支持する移動可能なスタンドを有し、該スタンドには、上記仏壇本体の下方に位置し床面に載置される基台が一体に設けられ、上記基台上に載置される仏具ケースを備えていることを特徴とする仏壇である。
【発明の効果】
【００１２】
請求項１記載の発明によれば、仏壇の小型化、簡易化を実現できるとともに、使用時の重厚感、荘厳感を得ることができる。
【００１３】
請求項２記載の発明によれば、非使用時における仏壇構成の存在による室内景観の違和感を無くすことができ、インテリア性の向上を図ることができる。
【００１４】
請求項３記載の発明によれば、仏具ケースを分離して使用する構成とすることにより、壁面に固定される仏壇本体の薄型を促進できる。
【００１５】
請求項４記載の発明によれば、仏具ケースの小型化、簡易化を実現できるとともに、使用時の重厚感、荘厳感を得ることができ、ひいては仏壇の使用時におけるより一層の重厚感、荘厳感を得ることができる。
【００１６】
請求項５記載の発明によれば、非使用時における仏壇構成の存在による室内景観の違和感を無くすことができ、インテリア性の向上を図ることができる。
【００１７】
請求項６記載の発明によれば、室内の環境条件に拘わらず任意の場所に設置することができ、設置場所を変えたい場合でも容易に行うことができる。
【発明を実施するための最良の形態】
【００１８】
以下、本発明の第１の実施形態を図１乃至図６に基づいて説明する。
図１に示すように、本実施形態における仏壇１は、室内の壁面２に所定の高さ位置をもって固定された仏壇本体３と、この仏壇本体３を覆うカバー４と、仏壇本体３の下方の床面５に非固定状態で載置された仏具ケース６を有している。
カバー４は、全体としては仏壇本体３の前面、上下面及び両側面を覆う箱状に形成されており、詳細には、仏壇本体３の左半部を覆うカバー４Ａと、右半部を覆うカバー４Ｂとからなる分割構成を有している。
カバー４Ａ、４Ｂは仏壇本体３に対して左右にスライド自在に支持されており、中央ライン７を閉じ位置として開閉可能に設けられている。
【００１９】
カバー４Ａ、４Ｂは木質系材料で形成されており、閉じたときの家具調のインテリア性を高めるべく、且つ、開いたときの仏壇１の重厚感、荘厳感を高めるべく、木目がストレートなタイプの正方形状のグリッド（パネル）を複数枚接合して構成されている。各グリッドは四方を糸面取りされているとともに、木目をオイルステンで染色して表面仕上げされている。
仏具ケース６は、仏具ケース本体８（図２参照）と、この仏具ケース本体８を覆うケースカバー９を有している。ケースカバー９は全体としては仏具ケース本体８の上面、前面、後面及び両側面を覆う箱状に形成されており、詳細には、仏具ケース本体８の左半部を覆うケースカバー９Ａと、右半部を覆うケースカバー９Ｂとからなる分割構成を有している。
【００２０】
ケースカバー９Ａ、９Ｂは仏具ケース本体８に対して左右にスライド自在に支持されており、中央ライン１０を閉じ位置として開閉可能に設けられている。
ケースカバー９Ａ、９Ｂも同様に、木質系材料で形成されており、閉じたときの家具調のインテリア性を高めるべく、且つ、開いたときの仏壇１の重厚感、荘厳感を高めるべく、木目がストレートなタイプの正方形状のグリッドを複数枚接合して構成されている。各グリッドは四方を糸面取りされているとともに、木目をオイルステンで染色して表面仕上げされている。
図１において、符号１１は仏壇本体３の後述する照明手段に接続された電源コードを示す。
【００２１】
図２は、仏壇本体３におけるカバー４と、仏具ケース６におけるケースカバー９を開いた状態を示している。
カバー４Ａ、４Ｂをそれぞれ左右にスライドさせて開くと、仏壇本体３が露出する。仏壇本体３は、位牌等の載置面となる底板３Ａと、両側板３Ｂ、３Ｃと、天板３Ｄと背板３Ｅを有する箱状に形成されており、奥行寸法は、小型・簡易化あるいは薄型、コンパクト化を実現できるように、御本尊や位牌等の重要品具のみを収納できる必要最低限的な大きさとしている。
【００２２】
天板３Ｄの上面にはスライドレール１２が溝３Ｄａに埋設状態に固定されており、その可動片がカバー４Ａ、４Ｂの上面内方に固定されてスライド自在となっている。カバー４Ａ、４Ｂの下面側もスライド用の案内構成を有している（後述）。カバー４Ａ、４Ｂは図２に示す開放位置でそれ以上の移動を規制されるようになっている。
仏壇本体３の前面側には、収納品具を保護する透明のガラス板１３が設けられている。ガラス板１３は一端側をヒンジで軸支されて外方（矢印Ｍ方向）へ回動可能に設けられ、収納品具の配置替えや清掃等が行えるようになっている。ガラス板１３は、底板３Ａとの間に設けられる後述するマグネットラッチ構成によって閉じ位置を保持されるようになっている。符号１４は、電源スイッチを示す。
【００２３】
仏壇本体３自体はコンパクト性を有しているが、カバー４Ａ、４Ｂを開いた状態では、奥行を有する箱状のカバー４Ａ、４Ｂが左右に広がって全体寸法（容積）が大きくなるため、薄い単板の扉を開く構成に比べて仏壇としての重厚感、荘厳感が増大する。
カバー４Ａ、４Ｂを閉じた状態、すなわち非使用状態では、図１で示したように、コンパクト性が維持される。本実施形態では、図１に示すように、カバー４Ａ、４Ｂを閉じた状態での幅Ｗを７００ｍｍ、高さＨを７００ｍｍ、奥行Ｄを２００ｍｍとしている。
カバー４Ａ、４Ｂを開いた使用状態では、図２に示すように、幅Ｗ１は約１３００ｍｍである。
本実施形態ではカバー４Ａ、４Ｂを木質系材料で構成しているため、閉じた状態では仏壇本体３を外部から視認することはできず、壁面２において家具調のインテリア性のみを醸し出すことができる。もちろん、カバー４Ａ、４Ｂを透明部材で形成してもよい。
【００２４】
図２に示すように、仏具ケース６において、ケースカバー９Ａ、９Ｂをそれぞれ左右にスライドさせて開くと、仏具ケース本体８が露出する。仏具ケース本体８は、載置面となる底板８Ａと、両側板８Ｂ、８Ｃと、背板８Ｄを有している。
仏具ケース６は、言わば壁面２に固定される仏壇本体３のコンパクト化のために犠牲にした収納スペースを補完するもので、仏具ケース本体８は、その底板８Ａに花立て１５、線香箱１６、香炉台１７、香炉１８、鈴１９等を載置できる大きさを有している。もちろん、これらの仏具を仏壇本体３に全て収容し、仏具ケース６を設けない構成としてもよい。
底板８Ａには、脚部８Ａａが一体に形成されており、ケースカバー９Ａ、９Ｂには取っ手９Ａａ、９Ｂａが一体に形成されている。ケースカバー９Ａ、９Ｂのスライド構成については後述する。
【００２５】
仏具ケース６においても同様に、仏具ケース本体８自体はコンパクト性を有しているが、ケースカバー９Ａ、９Ｂを開いた状態では、奥行を有する箱状のケースカバー９Ａ、９Ｂが左右に広がって全体寸法（容積）が大きくなるため、仏壇としての重厚感、荘厳感が増大する。
ケースカバー９Ａ、９Ｂを閉じた状態、すなわち非使用状態では、図１で示したように、コンパクト性が維持される。本実施形態ではカバー９Ａ、９Ｂを木質系材料で構成しているため、閉じた状態では仏具ケース本体８を外部から視認することはできず、床面５において家具調のインテリア性のみを醸し出すことができる。もちろん、ケースカバー９Ａ、９Ｂを透明部材で形成してもよい。
仏具ケース６はそれ全体を持ち運び可能であり、部屋の模様替え等の際に家具の移動に邪魔になるような場合には任意に移動することができる。
【００２６】
図３は、カバー４Ａ、４Ｂを開いた状態で、正面から見た図である。天板３Ｄの下面には照明手段としての複数のＬＥＤ（発光ダイオード）２０が設けられている。ＬＥＤ２０は電源スイッチ１４のオン・オフにより点灯・消灯する。ＬＥＤ２０は両側板３Ｂ、３Ｃの内面側にも設けてもよい。図３において符号１３ａはガラス板１３の回動軸を示す。
図４に示すように、底板３Ａと天板３ＤにはそれぞれＬ字状のアングル材２１が固定されており、仏壇本体３はアングル材２１の他片を介してアンカーボルト２２で壁面２に固定されている。
ガラス板１３の上下端部にはゴールドメッキ仕上げされたスチール製のハカマ２３、２４が設けられており、下端部のハカマ２４が底板３Ａに固定されたマグネットキャッチ２５にキャッチされることにより閉じ位置を保持される。
【００２７】
底板３Ａの下面には、カバー４Ａ、４Ｂのスライド方向に延びる溝３Ａａが形成されており、この溝３Ａａにカバー４Ａ、４Ｂの下面に設けられた凸部２６が係合して移動することにより、カバー４Ａ、４Ｂのスライドが安定してなされる。
背板３Ｅは底板３Ａと天板３Ｄとの間に溝嵌め込み式で固定されており、仏壇の荘厳感を高めるべく、本金箔が施されてウレタンクリア仕上げがなされている。背板３Ｅの上部には、御本尊等を掛けるためのゴールドメッキ仕上げのフック２７が設けられている。
【００２８】
図５は仏具ケース６のケースカバー９Ａ、９Ｂを開いた状態を示す正面図であり、図６は概要縦断面図である。
図６に示すように、仏具ケース本体８の背板８Ｄの後面にはスライドレール２８が固定されており、その可動片がケースカバー９Ａ、９Ｂの後面内方に固定されてスライド自在となっている。
また、ケースカバー９Ａ、９Ｂの後面内方における下端部にはスライド方向に延びる溝９Ａｂ、９Ｂｂが形成されており、この溝９Ａｂ、９Ｂｂに仏具ケース本体８の底板８Ａの後面に設けられた凸部２９が係合して移動することにより、ケースカバー９Ａ、９Ｂのスライドが安定してなされる。
ケースカバー９Ａ、９Ｂの前面下端９Ａｃ、９Ｂｃには、スライド時の底板８Ａとの摩擦（摺動抵抗）を低減するために、図示しない薄肉のプラスチック板又はプラスチックフィルムが固定されている。
【００２９】
次に、図７乃至図９に基づいて第２の実施形態を説明する。なお、上記実施形態と同一部分は同一符号で示し、特に必要が無い限り既にした構成上及び機能上の説明は省略して要部のみ説明する。
室内の壁面構造によっては、上述した仏壇本体３を固定できない場合がある。また、将来的に固定場所ないし設置場所を移動する可能性がある場合、壁面にボルト固定用の穴が残って外観の見劣が生じるのを嫌うユーザーもいる。また、賃貸契約等の規約により壁面へのボルト等による固定を規制される場合もある。
本実施形態ではこのような状況下での使用を可能とすることを特徴としている。
【００３０】
図７に示すように、本実施形態における仏壇３０は、床面上に安定して立てることが可能で、且つ、移動可能なスタンド３１を備えている。
スタンド３１は、床面に載置される水平面板状の基台３２と、基台３２の後面に一体に設けられ略垂直に延びる垂直支持部３３を有している。
垂直支持部３３は、基台３２に一体に形成された板状（フレーム状）の支持本体部３３Ａと、この支持本体部３３Ａの上部に設けられ、仏壇本体３が固定される固定部３３Ｂを有している。固定部３３Ｂは前面が仏壇本体３によって覆われるので、軽量化の観点から角材やパイプ材等の棒材３４で構成されている。
仏具ケース６は基台３２上に載置されている。垂直支持部３３を壁面に沿うようにスタンド３１を設置すれば、仏壇本体３を壁面２に固定した第１の実施形態と同様の使用状態を得ることができる。しかも部屋の模様替え等において邪魔になる場合には容易に移動することができ、設置場所を変えたい場合にも自由に行うことができる。
【００３１】
図８に示すように、支持本体部３３Ａは、軽量化を諮るため、内部に芯材を配した合わせ板構造を有している。電源コード１１は支持本体部３３Ａの内部を通って仏壇本体３の照明手段に接続されている。基台３２の下面４隅には、床面に対する位置調整を行うためのネジ方式のアジャスタ３５が設けられている。
基台３２の下面には、スタンド３１の安定した支持状態を得るために、重り用スチール板３８が設けられている。
図９に示すように、仏壇本体３の底板３Ａを支持本体部３３Ａの上面に図示しないクッションラバーを介して載置し、背板３Ｅの下端部をボルト・ナット３６で固定部３３Ｂの棒材３４に固定して、且つ、天板３Ｄの後端部をボルト・ナット３７で棒材３４に固定することにより、仏壇本体３の固定部３３Ｂに対する固定がなされている。
本実施形態では、仏壇の重厚感、荘厳感を醸し出すために、スタンド３１の少なくとも要部（基台３２、支持本体部３３Ａ）を木質系材料で形成しているが、アルミニウム合金や強化プラスチック等で形成し、違和感の無い表面塗装仕上げとしてもよい。
本実施形態においても仏具を仏壇本体３に全て収容し、仏具ケース６を設けない構成としてもよい。
【図面の簡単な説明】
【００３２】
【図１】本発明の第１の実施形態における仏壇の非使用状態の斜視図である。
【図２】使用状態の斜視図である。
【図３】カバーを開いた状態の仏壇本体の正面図である。
【図４】仏壇本体の概要縦断面図である。
【図５】ケースカバーを開いた状態の仏具ケースの正面図である。
【図６】仏具ケースの概要縦断面図である。
【図７】第２の実施形態における仏壇の使用状態の斜視図である。
【図８】第２の実施形態におけるスタンドの概要縦断面図である。
【図９】第２の実施形態における仏壇本体の概要縦断面図である。
【符号の説明】
【００３３】
２    壁面
３    仏壇本体
４Ａ、４Ｂ    カバー
５  床面
６  仏具ケース
８  仏具ケース本体
９Ａ、９Ｂ  ケースカバー
３１  スタンド
３２  基台
【図１】
2006075330.tif 000003
【図２】
2006075330.tif 000004
【図３】
2006075330.tif 000005
【図４】
2006075330.tif 000006
【図５】
2006075330.tif 000007
【図６】
2006075330.tif 000008
【図７】
2006075330.tif 000009
【図８】
2006075330.tif 000010
【図９】
2006075330.tif 000011